(57)【要約】【課題】車両のエネルギー活用能力を能動的に知能化して効率的なエネルギー使用を行い、車両の燃費を向上させるようにしたハイブリッド車両の運転制御方法を提供する。【解決手段】充電状態（ＳＯＣ）を高領域／中領域／低領域で区分されるＳＯＣ領域と各ＳＯＣ領域に相応するエンジン目標トルクを備えたハイブリッド車両の運転制御方法であって、現在のＳＯＣからエンジン目標トルクを算出し、現在のＳＯＣが一定範囲以上のときエンジン目標トルクを下げ、ＳＯＣが一定範囲以下のときエンジン目標トルクを上げる構成である。ＳＯＣ領域は、さらに車速によって細分化された細部領域に区分され、各細部領域毎にエンジン目標トルクを設定することができる。【選択図】図１
2015009803.tif 000002
【特許請求の範囲】
【請求項１】
充電状態（ＳＯＣ）が高領域、中領域及び低領域で区分されるＳＯＣ領域と各ＳＯＣ領域に相応するエンジン目標トルクを備えたハイブリッド車両の運転制御方法であって、
現在の充電状態（ＳＯＣ）からエンジン目標トルクを算出し、現在のＳＯＣが一定範囲以上のときエンジン目標トルクを下げ、ＳＯＣが一定範囲以下のときエンジン目標トルクを上げることを特徴とするハイブリッド車両の運転制御方法。
【請求項２】
高領域、中領域及び低領域で区分される前記ＳＯＣ領域は、さらに車速によって細分化された細部領域に区分され、各細部領域毎にエンジン目標トルクが設定されることを特徴とする請求項１に記載のハイブリッド車両の運転制御方法。
【請求項３】
前記エンジン目標トルクは、現在のＳＯＣと車速を考慮して算出することを特徴とする請求項２に記載のハイブリッド車両の運転制御方法。
【請求項４】
走行路が上り坂でＳＯＣが一定値以上のとき、前記エンジン目標トルクを下げ、傾斜が大きくなるほど前記エンジン目標トルクの減少度を大きくすることを特徴とする請求項１に記載のハイブリッド車両の運転制御方法。
【請求項５】
走行路が下り坂のとき、傾斜が大きくなるほどエンジンの停止時点が早くなるようにすることを特徴とする請求項１に記載のハイブリッド車両の運転制御方法。
【請求項６】
アクセルペダルと制動ペダルのいずれも踏まない慣性走行のとき、車速が増すほどモーターのクリープトルクを負の方向に大きくすることを特徴とする請求項１に記載のハイブリッド車両の運転制御方法。
【請求項７】
アクセルペダルと制動ペダルのいずれも踏まない慣性走行のとき、車速が増すほどモーターのクリープトルクを負の方向に大きくし、走行路が上り坂のとき、平地の場合より緩やかに大きくし、走行路が下り坂のとき、平地の場合より急に大きくするようにすることを特徴とする請求項１に記載のハイブリッド車両の運転制御方法。
【請求項８】
アクセルペダルと制動ペダルのいずれも踏まない慣性走行のとき、一定のＳＯＣ以上でエンジンとモーターの間のクラッチをオフにし、車速が増すほどクラッチオフの基準となるＳＯＣを徐々に下げることを特徴とする請求項１に記載のハイブリッド車両の運転制御方法。
【請求項９】
アクセルペダルと制動ペダルのいずれも踏まない慣性走行のとき、一定のＳＯＣ以上でエンジンとモーターの間のクラッチをオフにし、クラッチオフの基準となるＳＯＣは、走行路が上り坂の場合は高く、下り坂の場合は低くすることを特徴とする請求項１に記載のハイブリッド車両の運転制御方法。
【請求項１０】
ＳＯＣが高くなるほどエンジン目標トルクを下げ、ＳＯＣが低くなるほどエンジン目標トルクを上げ、走行路が上り坂のときは、平地や下り坂の場合よりエンジン目標トルクを低くすることを特徴とする請求項１に記載のハイブリッド車両の運転制御方法。
【発明の詳細な説明】
【技術分野】
【０００１】
本発明はハイブリッド車両の運転制御方法に関し、さらに詳細には、車両のエネルギー活用能力を能動的に知能化して、効率的なエネルギーの使用によって車両の燃費を一層向上させるようにしたハイブリッド車両の運転制御方法に関するものである。
【背景技術】
【０００２】
並列型ハイブリッドのコンセプトは、エンジンと駆動モーターの間にエンジンクラッチが位置していることにより、エンジンの動力伝達をホイールまで伝達する制御が容易であり、特に減速の際にエンジンを停止させてエンジンクラッチを解除することで、純粋に制動エネルギーをモーターで吸収する回生制動モードに入ることに大きな特徴がある。
【０００３】
ＳＯＣ（Ｓｔａｔｅ  Ｏｆ  Ｃｈａｒｇｅ）は、高電圧バッテリー充電状態、つまり充電量を意味する。この際、高電圧バッテリーは、エンジンを最適運転効率にするために、モーターの充放電によるダンパーの役目をしている。
【０００４】
しかし、エンジンの起動と停止を多数回繰り返すと、燃費の低下とシステムの負荷として作用するので、適切な制御入力と結果によって運転者の意志を最大限に反映して安定的にエンジンのオン／オフを達成する必要がある。
【０００５】
近年には、自動車の燃費向上の持続的な要求と各国の排出規制の強化に従って環境に優しい自動車に対する要求が高まっている。これに対する現実的な代案としてハイブリッド車両が注目されている。
このようなハイブリッド車両は、内燃機関であるエンジン以外に電気エネルギーを使うモーターを一緒に動力源として使用する関係で、電気エネルギーの貯蔵装置であるバッテリーのＳＯＣ管理が重要な意味を持つことになる。
【０００６】
したがって、ハイブリッド車両はＳＯＣの高低状態を考慮しながら最適の燃費水準を達成することができる運転戦略を適用するように努力している。そこで、ＳＯＣを管理して効率的なエネルギー使用を行うハイブリッド車の運転制御方法が提案された〔特許文献１参照〕。この方法によれば、バッテリーの充電状態であるＳＯＣを一連の複数領域に分割し、各ＳＯＣ領域別に別個の動力配分戦略を適用し、各領域別に備えられた別個の運転マップなどの動力配分戦略によってエンジンから発生させなければならないトルクとモーターから発生させなければならないトルクなどを選定するように構成し、現在のＳＯＣがどのＳＯＣ領域に属するかを判断し、それに対応する動力配分戦略によって車両の走行がなされるようにするものである。
【０００７】
この動力配分戦略は、基本的に低ＳＯＣ領域ではモーターから発生させるトルクを減らしてＳＯＣの追加低下を抑制し、エンジンから発生する動力で車両の走行及びバッテリーの充電を行ってＳＯＣの上昇を許容ないし誘発し、またＳＯＣが低いときエンジンの動力を用いてアイドル充電を行い、ＳＯＣがさらに低い場合には、バッテリーを電子装備から遮断するようにする。また、高ＳＯＣ領域では、ＳＯＣの低下を許容ないし誘発することによってモーターから発生するトルクの比重を高め、エンジンの使用をできるだけ抑制して車両の燃費を向上させるようにするものである。
【０００８】
その他、バッテリの充電効率の低下を抑制しながらエンジンの運転効率を上昇させることができ、自動車全体のエネルギ効率の向上を図ることができるハイブリッド自動車の提案がある〔特許文献２参照〕。
【０００９】
一方、近年には車両に係わる情報技術（ＩＴ；ｉｎｆｏｒｍａｔｉｏｎ  ｔｅｃｈｎｏｌｏｇｙ）の急速な発展によって、車両は、走行する道路についての多様な情報を比較的容易に入手することができ、これを反映して車両の運転戦略を改善して燃費の追加的な向上などが可能である。例えば、道路状況、現在の車両状況および過去の操作状況に関する情報を取得し、これらの情報に基づいて車両の燃費の悪化を招くことになるか否かを予測し、燃費の悪化を招くことが予測された場合に、燃費を向上するための操作が車両の乗員に事前に報知する運転支援装置の提案がある〔例えば、特許文献３参照〕。
【先行技術文献】
【特許文献】
【００１０】
【特許文献１】大韓民国特許公開１０−２０１３−００２４４１３号明細書
【特許文献２】特開２０１１−２４０７５７号公報
【特許文献３】特開２０１２−０１３０２１号公報
【発明の概要】
【発明が解決しようとする課題】
【００１１】
本発明の目的は、車両のエネルギー活用能力を能動的に知能化して効率的なエネルギー使用を行い、車両の燃費を向上させるようにしたハイブリッド車両の運転制御方法を提供することにある。
【課題を解決するための手段】
【００１２】
上記の目的を達成するためになされた本発明は、充電状態（ＳＯＣ）を高領域／中領域／低領域で区分されるＳＯＣ領域と各ＳＯＣ領域に相応するエンジン目標トルクを備えたハイブリッド車両の運転制御方法であって、現在のＳＯＣからエンジン目標トルクを算出し、現在のＳＯＣが一定範囲以上のときエンジン目標トルクを下げ、ＳＯＣが一定範囲以下のときエンジン目標トルクを上げる構成である。
【００１３】
高領域／中領域／低領域で区分されるＳＯＣ領域は、さらに車速によって細分化された細部領域に区分され、各細部領域毎にエンジン目標トルクを設定することができる。
【００１４】
以下、代表的な実施形態を挙げる。
エンジン目標トルクは、現在のＳＯＣと車速を考慮して算出することができる。走行路が上り坂でＳＯＣが一定値以上のときエンジン目標トルクを下げ、傾斜が大きくなるほどエンジン目標トルクの減少度を大きくする。走行路が下り坂のとき、傾斜が大きくなるほどエンジンの停止時点が早くなるようにする。
【００１５】
アクセルペダルと制動ペダルのいずれも踏まない慣性走行のとき、車速が増すほどモーターのクリープトルクを負の方向に大きくし、このとき、走行路が上り坂のとき平地の場合より緩やかに大きくし、走行路が下り坂のとき平地の場合より急に大きくするようにする。
【００１６】
アクセルペダルと制動ペダルのいずれも踏まない慣性走行のとき、一定のＳＯＣ以上でエンジンとモーターの間のクラッチをオフにし、車速が増すほどクラッチオフの基準となるＳＯＣを徐々に下げる。さらに、クラッチオフの基準となるＳＯＣは走行路が上り坂の場合が高く、下り坂の場合が低くするようにする。
【００１７】
ＳＯＣが高くなるほどエンジン目標トルクを下げ、ＳＯＣが低くなるほどエンジン目標トルクを上げ、走行路が上り坂のときは、平地や下り坂の場合よりエンジン目標トルクを低くする。
【発明の効果】
【００１８】
本発明のハイブリッド車両の走行モード制御方法によれば、エンジンの頻繁な起動／停止を防止して、それによる燃費節減の効果がある。
また、エンジンとクラッチを保護することができ、バッテリー充電量を有効に確保することができる。そして、車速や傾斜度によってそれぞれ異なるマップを持って動力制御を行うので、燃費の向上と運転質感の向上及び車両の耐久安定化を同時に成すことができる。
【図面の簡単な説明】
【００１９】
【図１】本発明に係るハイブリッド車両の運転制御方法の一実施形態を示すブロック図である。
【図２】ハイブリッド車両の運転制御方法の走行モードを示す図である。
【図３】ハイブリッド車両の運転制御方法の別のブロック図である。
【図４】本発明によるハイブリッド車両の運転制御方法の効果を示すグラフである。
【図５】本発明によるハイブリッド車両の運転制御方法の効果を示すグラフである。
【図６】本発明によるハイブリッド車両の運転制御方法の効果を示すグラフである。
【図７】本発明によるハイブリッド車両の運転制御方法の効果を示すグラフである。
【発明を実施するための形態】
【００２０】
以下、本発明に係るハイブリッド車両の運転制御方法について、好適な実施形態を挙げ、添付図面を参照しつつ詳細に説明する。
図１は、ハイブリッド車両の運転制御方法のブロック図、図２は、走行モードを示す図、図３は、ハイブリッド車両の運転制御方法の別の実施形態でのブロック図である。
【００２１】
本発明のハイブリッド車両の運転制御方法は、高領域／中領域／低領域のＳＯＣ領域、及びそれぞれのＳＯＣ領域に相応するエンジン目標トルクを備えたハイブリッド車両の運転制御方法であって、現在のＳＯＣからエンジン目標トルクを算出し、現在のＳＯＣが一定範囲以上のときエンジン目標トルクを下げ、ＳＯＣが一定範囲以下のときエンジン目標トルクを上げる。
【００２２】
本発明のハイブリッド車両の運転制御方法は、ＳＯＣ領域を高領域／中領域／低領域に分け、高領域／中領域／低領域のＳＯＣ領域は、さらに車速によって細分化した細部領域に区分し、各細部領域毎にエンジン目標トルクが設定できる。図１は、ハイブリッド車両の運転制御方法のブロック図で、エンジン目標トルクマップが高領域／中領域／低領域のＳＯＣ領域に分けられ、これらはさらに高高領域（ＶＥＲＹ  ＨＩＧＨ）／高領域（ＨＩＧＨ）／中高領域（ＮＯＲＭＡＬ  ＨＩＧＨ）／中低領域（ＮＯＲＭＡＬ  ＬＯＷ）／低領域（ＬＯＷ）／低低領域（ＶＥＲＹ  ＬＯＷ）に区分される。そして、各領域では、車速によってさらに細分化（一般、高速、都心など）する。
【００２３】
すなわち、エンジン目標トルクは、現在のＳＯＣと車速を共に考慮して算出するもので、ＳＯＣと車速を入力とし、各細部領域にあたるエンジン目標トルクを出力とするデータマップによって現状況での最適のエンジントルクを出力していく。
【００２４】
このように、現在のＳＯＣと車速を考慮し、エンジン目標トルクマップを用いてエンジンの目標トルクを算出しても精細に調整する必要がある。現在のＳＯＣが一定範囲以上のときエンジン目標トルクを下げ、ＳＯＣが一定範囲以下のときエンジン目標トルクを上げる。
【００２５】
すなわち、エンジン目標トルクをＳＯＣの変動に拘わらず一様にするときには、ＳＯＣが高い場合には予め最適化した目標エンジントルクで出力されるが、車両の耐久性、運転者の偏差、運転者搭乗人員によって走行負荷が変わって、より高いＳＯＣ領域に進む可能性があり、ＳＯＣが低い場合は高負荷の条件で車両の耐久性、運転者の偏差、運転者搭乗人員によって走行負荷が過多になると、目標エンジントルクに比べて過度な使用によってＳＯＣが大きく落ちる可能性がある。
【００２６】
したがって、平均車速と傾斜角による走行負荷条件を確認し、ＳＯＣ状態によってエンジントルクを補償する可変制御を行うことで、現在のＳＯＣが一定範囲以上の高ＳＯＣのときには、走行負荷によってエンジントルクを下向きに可変制御してＳＯＣが充電されないように調節し、燃費を向上させる。一方、現在のＳＯＣが一定範囲以下の低ＳＯＣのときには、走行負荷によってＳＯＣが低いＳＯＣ領域に進入すると、まずエンジントルクを補償する制御を実施してＳＯＣの急激な下落を防止するようにする。図４はこのようなエンジン目標トルクの制御を示すもので、ＳＯＣが一定範囲以下である４５〜７０％以上のときはエンジン目標トルクを徐々に下げ、以下のときはエンジン目標トルクを徐々に上げる。
【００２７】
走行路が上り坂でＳＯＣが一定値以上のときは、エンジン目標トルクを下げるが、傾斜が大きくなるほどエンジン目標トルクの減少度を大きくする。走行路が下り坂の場合、傾斜が大きくなるほどエンジンの停止時点が早くなるようにする。
【００２８】
このような上り坂や下り坂の状況は、予め備えられた走行負荷別走行モードを参照して反映することができる。具体的に、図２は本発明によるハイブリッド車両の運転制御方法の走行モードを示す図であり、車速と走行路の傾斜を考慮して複数の精細な走行モードを設け、それぞれの優先順位を決めておくことが可能である。
【００２９】
すなわち、走行モードは、車速によって区分されるモードと走行路の傾斜によって区分されるモードとからなっている。車速と走行路の傾斜を入力し、走行モードを出力とするデータマップが備えられ、データマップには車速と傾斜にマッチする各場合毎に車速によって区分されるモードまたは傾斜によって区分されるモードのいずれか一方を優先して結果として保存することができる。
【００３０】
図示している例は、車速が非常に遅い極渋滞の場合と傾斜が一般平地の場合では、車速によって区分される走行モードを選択して制御し、その他の場合は傾斜によって区分される走行モードを選択して運用するようにするものである。
【００３１】
走行モードを参照することで傾斜度が分かり、これを考慮して、走行路が上り坂でＳＯＣが一定値以上の場合は、エンジン目標トルクを下げるが、傾斜が大きくなるほどエンジン目標トルクの減少度を大きくする。図５はこのような制御状況を示すもので、ＳＯＣが５５％以上の状況では、上り坂ではエンジン目標トルクを徐々に下げ、傾斜が大きくなったとき、つまり上り坂の勾配が大きくなるほどエンジン目標トルクをより下げるようにする。
【００３２】
これは上り坂走行中に車両負荷が小さい場合にＳＯＣ充電することがあり、上り坂の後の下り坂走行の際にＳＯＣ充電を行って燃費の悪化が発生するが、平均車速と傾斜角による走行負荷条件を確認し、ＳＯＣ状態によってエンジントルクを可変制御することで、上り坂走行時のＳＯＣ状態によってエンジントルクを可変制御して、その後の下り坂走行時に発生する充電状況に備えてＳＯＣを適正水準（５５％）に維持するように制御することができる。
【００３３】
下り坂の場合は、傾斜が大きくなるほどエンジンの停止時点が早くなるようにすることで電気自動車モード（ＥＶモード）がより早く開始するようにする。従来では、下り坂走行の際には、ＥＶで走行することができる状況でもＥＶに進入しないと、エンジン最適運転点を目標としてエンジントルクを制御するときに燃費の悪化が発生（エンジンでは最適運転点であるが、目標トルクが高くて燃料消耗量が多い）したが、このような可変制御によってＥＶへの進入を早く進めて無駄な燃費悪化を防止することができる。
【００３４】
車速によって極渋滞、都心、一般などのモードを判断するにあたり、車速だけでなく車両の停車回数も一緒に考慮すると、より正確なモードの判断が可能となる。すなわち、車速が非常に速いといっても停車回数が前もって備えた一定基準以上の場合には市内走行と見なして“都心”モードと判断し、車速が非常に遅くても停車しない場合には高速道路走行と見なして“高速”モードに判断する。このように、車速と停車回数を考慮してモードを判断することで、車速によって区分されるより正確なモードの判断が可能となる。
【００３５】
図３は、本発明によるハイブリッド車両の運転制御方法の別のブロック図であり、アクセルペダルと制動ペダルのいずれも踏まない慣性走行の場合、車速が増すほどモーターのクリープトルクを負の方向に大きくするようにする。すなわち、アクセルペダルと制動ペダルのいずれも踏まない場合は、車両が走行する車速による慣性走行を行う。この場合、車速が高い状態であればあるほどモーターのクリープトルクを負の方向に大きくする。モーターのクリープトルクを負の方向にするというのは、回生制動によって減速されることを意味し、車速が高くて慣性が高いほどそのクリープトルクを負の方向に増加させて回生制動と減速がより円滑に行われるようにする。
【００３６】
図６のように車速がさらに高い状況で慣性走行を行う場合には、モーターのクリープトルクを負の方向に徐々に大きくする。特に走行路が上り坂のとき、平地の場合より緩やかに大きくし、走行路が下り坂のとき、平地の場合より急に大きくするようにする。これにより、上り坂ではモーターのクリープトルクが相対的に小さく、減速と回生が不十分になり、下り坂ではモーターのクリープトルクが相対的に大きくなって制動操作が減少して車両の耐久に有利であり、回生と減速をすることが可能となる。それにより、運転者がもつ、上り坂と下り坂で減速に対する違和感をなくす効果も得ることができる。
【００３７】
アクセルペダルと制動ペダルのいずれも踏まない慣性走行の場合、一定ＳＯＣ以上でエンジンとモーターの間のクラッチをオフするとともに車速が高いほどクラッチオフの基準となる一定ＳＯＣが徐々に低くなるようにすることができる。すなわち、一般的なハイブリッド車両の場合、エンジンはクラッチを介してモーターに連結され、モーターは駆動軸に直結される。そして、エンジンにはクラッチとは反対側にスタートモーター／ジェネレーター（ＨＳＧ）が備えられる。クラッチをオフせずに慣性走行を行う場合は、エンジンの最小駆動によってモーターとＨＳＧは同時にバッテリーに回生による充電を行うようにする。
【００３８】
したがって、アクセルペダルと制動ペダルのいずれも踏まない慣性走行の場合、一定のＳＯＣ以上でエンジンとモーターの間のクラッチをオフさせ、頻繁なクラッチのオン／オフによる駆動損失を防止し、特に車速が高いほどクラッチオフの基準となるＳＯＣが徐々に低くなるようにすることで、車速が高いときはクラッチがオンされる時間を長くする。
【００３９】
アクセルペダルと制動ペダルのいずれも踏まない慣性走行の場合、一定のＳＯＣ以上でエンジンとモーターの間のクラッチをオフするとともに、クラッチオフの基準となるＳＯＣは走行路が上り坂の場合が高く、下り坂の場合が低くなるようにすることができる。
【００４０】
これは、図７のグラフで示すように、アクセルペダルと制動ペダルのいずれも踏まない慣性走行において一定のＳＯＣ以上のとき、つまりグラフにおいてＳＯＣ境界線を超える場合にクラッチがオフすると言える。しかし、このような基準となるＳＯＣラインは、上り坂のときは高く、下り坂のときは低くなるようにし、車速が高いほどＳＯＣラインが低くなるようにする。
【００４１】
これにより、クラッチのオン／オフとエンジンの頻繁なオン／オフを防止し、ＨＳＧによる充電をさらに行うことでＳＯＣを上昇させるようにする。
【００４２】
上述したような構造のハイブリッド車両の走行モード制御方法によれば、頻繁なエンジンの起動／停止を防止し、それによる燃費節減の効果がある。
また、エンジンとクラッチを保護することができ、バッテリーの充電量を有効に確保することができる。そして、車速や傾斜度によってそれぞれ異なるマップを持って動力制御を行い、燃費の向上と運転質感の向上及び車両耐久安定化を同時に達成することができる。
【００４３】
以上、本発明のハイブリッド車両の運転制御方法について、特定の実施形態を挙げて図示し、説明したが、特許請求の範囲によって提供される本発明の技術的思想を外れない限度内において、本発明に多様な改良及び変化を加え得るのは、当業界における通常の知識を有する者には自明であろう。
【産業上の利用可能性】
【００４４】
本発明は、車速と傾斜度を用いてハイブリッド車両のＳＯＣ管理方法を可変的に具現することで、車両のエネルギー活用能力をより能動的で知能化して効率的なエネルギー使用で車両の燃費をもっと向上させるようにしたハイブリッド車両に適用可能である。
【図１】
2015009803.tif 000003
【図２】
2015009803.tif 000004
【図３】
2015009803.tif 000005
【図４】
2015009803.tif 000006
【図５】
2015009803.tif 000007
【図６】
2015009803.tif 000008
【図７】
2015009803.tif 000009